(57)【特許請求の範囲】
【請求項１】
複数のＡＣ供給源のそれぞれに接続される複数のＡＣコードと、該複数のＡＣコードにおけるＡＣ電圧間の位相差を検知する検知部と、該検知部からの位相差を基に、前記複数のうちいずれかのＡＣコードにおける位相を切り替えて同相にする位相変換部と、前記検知部及び前記位相変換部を経て同相にされた前記複数のＡＣコードの出力側を結合する結合部と、を備え、該結合部を介して負荷へ電力を供給する構成としたことを特徴とする画像形成装置。
【請求項２】
複数のＡＣ供給源のそれぞれに接続される複数のＡＣコードと、該複数のＡＣコードからのＡＣ電圧間の位相差を検知する検知部と、前記各ＡＣコードにおける電流を検出する複数の電流検知部と、前記検知部からの位相差を基に、前記複数のうちいずれかのＡＣコードにおける位相を切り替えて同相にする位相変換部と、前記検知部、前記電流検知部及び前記位相変換部を経て同相にされた前記複数のＡＣコードの出力側を結合する結合部と、前記複数の電流検知部が検知した電流のいずれかが所定値を超えたとき、その所定値以下になるように電流を制限する制限部と、を備え、
該結合部を介して負荷へ電力を供給する構成としたことを特徴とする画像形成装置。
【請求項３】
前記検知部は、更に前記複数のＡＣコードからのＡＣ電圧の振幅を比較し、前記位相変換部は、前記検知部が各ＡＣ電圧の振幅が同じで、かつ位相が異なることを検知したときに、前記位相を切り替えることを特徴とする請求項１又は２に記載の画像形成装置。
【請求項４】
前記負荷は、ＡＣで動作する定着部と、ＤＣで動作する制御／処理部とを含み、
前記結合部と前記定着部の間には前記定着部をＡＣ駆動する所定の電流又は電圧で駆動するヒータ駆動部と、前記結合部と前記制御／処理部との間にはＡＣ／ＤＣ変換部と、を備えたことを特徴とする請求項１〜３のいずれか一項に記載の画像形成装置。
【請求項５】
前記結合部は、前記複数のＡＣコードからの複数のＡＣをそれぞれ複数の一次側巻線に接続し、二次側巻線から負荷へ供給する絶縁トランスを含むことを特徴とする請求項１〜４のいずれか一項に記載の画像形成装置。
【請求項６】
前記結合部は、前記複数のＡＣコードに対応して前記ＡＣコードの出力側に設けられ、異常電流を検出したとき遮断する遮断器を含み、各遮断器の出力側を結線することにより結合して、その結合点を介して負荷へ供給する構成としたことを特徴とする請求項１〜４のいずれか一項に記載の画像形成装置。
【発明の詳細な説明】
【技術分野】
【０００１】
本発明は、プリンタ、コピー機もしくはファクシミリの単体機機能又はそれらの複合機能を含む画像形成装置に係り、消費電力の多い画像形成装置において、負荷需要（消費電力）の変動に対応して、安定して電力を供給できる技術に関する。
【背景技術】
【０００２】
一般に、画像形成装置としては、図８に示すように、ＡＣ供給源１から、例えば１００Ｖの電源をＡＣコード３を介して受給し、トランス１３で変圧して、負荷８へ電力を供給していた。画像形成装置の負荷８としては、主にヒータを有しＡＣで熱定着する定着部８ａと、ＤＣで動作し、ＣＰＵ及びメモリ等を備え各要部を制御する制御部や、その他の処理回路を含む制御／処理部８ｂとがあった。定着部８ａ対しては、ヒータ駆動部６が、トランス１３の二次側から電力を受けて、所定の電流を送って制御している。ＡＣ−ＤＣ変換部７は、トランス１３の二次側からＡＣ電力を受けて整流部７ａで整流した上で、ＤＣ―ＤＣコンバータ７ｂで所望の電圧に変換して、制御／処理部８ｂへ供給していた。
【０００３】
一般には、日本においては、ＡＣコード１本当たり、１００Ｖ，１５Ａが電力許容値である。しかし、画像形成装置としては、それ以上の電力消費が避けられず、数々の提案がなされている（例えば、特許文献１、２又は３）。
【０００４】
特許文献１、２のものは、複数のＡＣコードを用意し、負荷を分散して各ＡＣコードに割り当てるものである。例えば、定着部８ａを１本のＡＣコード、制御／処理部８ｂを他の１本のＡＣコードに割り当てる。そして、電源供給源に片方のＡＣコードだけ、接続され、他のＡＣコードが接続されていないときの、装置の安全性が問題になるので、ＡＣコードと電源供給源との接続をオン／オフするリレーを設けて、安全性を確保できるようにそのリレーを制御しようとするものである。
【０００５】
特許文献３のものは、特許文献１のように複数のＡＣコードを用意するとともに、負荷を複数ブロックに分割し、各ブロックが複数のＡＣコードのいずれかから電力供給されるようにスイッチでＡＣコードに接続されている。そして、定着器の立ち上がりモードや立ち下がりモード等の消費電力の異なる動作モードに対応して、スイッチを切り替えて消費電力に応じて、ＡＣコードに接続される負荷を切り替えている。
【０００６】
特許文献４の技術も、特許文献１同様、複数負荷毎に、個別のＡＣコードを有している。さらに、電力供給を制御する電力制御素子の異常を検知する故障検出機構、又は／及び定着器のヒータの電力制御素子の異常を検出する機構を有し、安全性の確保を図っている。
【０００７】
【特許文献１】特開２００３−２４４３５９号公報
【特許文献２】特開２００３−２９５７０２号公報
【特許文献３】特開２００３−３２３０８５号公報
【特許文献４】特開２００５−１２１６８１号公報
【発明の開示】
【発明が解決しようとする課題】
【０００８】
上記のように、いわば消費電力の変化の大きい電気機械装置である画像形成装置の装置内のそれぞれの負荷に対応して、ＡＣコードを接続する技術では、一方のＡＣコード側の負荷の消費電力が大きく、他方のＡＣコードに接続された消費電力が小さいからといって、他方のＡＣコード側から一方のＡＣコード側へ電力供給する等の、変化に応じた電力調整ができない。そこで、特許文献３のように、動作モードに対応して、複数のＡＣコード、複数の負荷ブロックとの関係を切り替えることにより、電力調整を行っている。
【０００９】
しかし、特許文献３のものは、上記のように、予め、動作モードに対応した電力調整しかできない。しかも、この場合、予め動作モードや負荷ブロックを調査して、動作の立ち上がり的な瞬時的な消費電力まで調べておく必要があること、動作中におけるＡＣコードの切り替えは、問題が起きやすい等の問題があった。
【００１０】
本発明の目的は、複数のＡＣコードの結合を図ることで、その結合点以降の電力変動にかかわらず電力を供給できる技術を提供することである。
【課題を解決するための手段】
【００１２】
上記課題を解決するために、請求項１に記載の発明は、複数のＡＣ供給源のそれぞれに接続される複数のＡＣコードと、該複数のＡＣコードにおけるＡＣ電圧間の位相差を検知する検知部と、該検知部からの位相差を基に、前記複数のうちいずれかのＡＣコードにおける位相を切り替えて同相にする位相変換部と、前記検知部及び前記位相変換部を経て同相にされた前記複数のＡＣコードの出力側を結合する結合部と、を備え、該結合部を介して負荷へ電力を供給する構成とした。
【００１３】
上記課題を解決するために、請求項２に記載の発明は、複数のＡＣ供給源のそれぞれに接続される複数のＡＣコードと、該複数のＡＣコードからのＡＣ電圧間の位相差を検知する検知部と、前記各ＡＣコードにおける電流を検出する複数の電流検知部と、前記検知部からの位相差を基に、前記複数のうちいずれかのＡＣコードにおける位相を切り替えて同相にする位相変換部と、前記検知部、前記電流検知部及び前記位相変換部を経て同相にされた前記複数のＡＣコードの出力側を結合する結合部と、前記複数の電流検知部が検知した電流のいずれかが所定値を超えたとき、その所定値以下になるように電流を制限する制限部と、を備え、該結合部を介して負荷へ電力を供給する構成とした。
【００１４】
上記課題を解決するために、請求項３に記載の発明は請求項１又は２に記載の発明において、前記検知部は、更に前記複数のＡＣコードからのＡＣ電圧の振幅を比較し、前記位相変換部は、前記検知部が各ＡＣ電圧の振幅が同じで、かつ位相が異なることを検知したときに、前記位相を切り替える構成とした。
【００１５】
上記課題を解決するために、請求項４に記載の発明は請求項１〜３のいずれか一項に記載の発明において、前記負荷は、ＡＣで動作する定着部と、ＤＣで動作する制御／処理部とを含み、前記結合部と前記定着部の間には前記定着部をＡＣ駆動する所定の電流又は電圧で駆動するヒータ駆動部と、前記結合部と前記制御／処理部との間にはＡＣ／ＤＣ変換部と、を備えた。
【００１６】
上記課題を解決するために、請求項５に記載の発明は請求項１〜４のいずれか一項に記載の発明において、前記結合部は、前記複数のＡＣコードからの複数のＡＣをそれぞれ複数の一次側巻線に接続し、二次側巻線から負荷へ供給する絶縁トランスを含む構成とした。
【００１７】
上記課題を解決するために、請求項６に記載の発明は請求項１〜４のいずれか一項に記載の発明において、前記結合部は、前記複数のＡＣコードに対応して前記ＡＣコードの出力側に設けられ、異常電流を検出したとき遮断する遮断器を含み、各遮断器の出力側を結線することにより結合して、その結合点を介して負荷へ供給する構成とした。
【発明の効果】
【００１８】
本発明によれば、複数のＡＣ供給源は異なるが、それらの電圧の位相と大きさ（振幅）が同じであれば、それらに接続されるＡＣコードを直接的に、又は絶縁トランス等で間接的に、結合できることに着眼した発明であり、その結合点以降の負荷側に対しては結合した各ＡＣ供給源から電力供給可能な電力の和だけ、供給できる。
【００１９】
複数のＡＣ供給源に複数ＡＣコードはコンセントで接続されることが多い。したがって、例えば、電源コード又はコンセントのホット側とニュウトラル側の接続関係によっては、位相が１８０度異なることがある。そこで、請求項１に記載の発明では、複数のＡＣコードからのそれぞれのＡＣ電源の位相を検知して、位相の違った場合に、ＡＣコードからのＡＣ電源のうちいずれかの位相を切り替えて同相にする構成とした。
【００２０】
請求項２に記載の発明では、さらに複数のＡＣコードに流れる電流を検出し、例えば、ＡＣコード単体当たりの規定の電流値、又はＡＣコードの規定の電流値の総和を超えるときにいずれかの電源の電流を制限する構成としたので、過負荷状態になることを防止できる。
【発明を実施するための最良の形態】
【００２１】
本発明の実施形態を図１〜図７を用いて説明する。図１は、本発明の第１の実施形態に係る機能ブロック図である。図２は、図１（及び図４，図５，図７）の結合部５の一実施形態を説明するための図である。図３は、図１（及び図４，図５，図７）の結合部５の他の一実施形態を説明するための図である。図４は、本発明の第２の実施形態に係る機能ブロック図である。図５は、本発明の第３の実施形態に係る機能ブロック図であるとともに、図２の詳細を示す図でもある。図６は、第２及び第３の実施形態における動作のタイミングを示す図である。図７は、本発明の第４の実施形態に係る機能ブロック図である。
【００２２】
第１の実施形態は、ＡＣ供給源１及びＡＣ供給源２において、ＡＣ電圧の位相及び振幅がそれぞれが同じ場合の例である。第２の実施形態は、複数のＡＣコードで供給されるＡＣ電圧（位相を対象とするときは、ＡＣ電流でも同じであるが、以下、ＡＣ電圧で説明する。）の位相が異なる場合、それを同相にする例である。第３の実施形態は、第２の実施形態に更にＡＣ電圧の振幅も確認する例を示す。第４の実施形態は、過負荷が起きたときに、ＡＣ電流を制限する例を示す。以下、順序を追って説明する。
【００２３】
［第１の実施形態］
図１を基に説明する。図１において、既に上記背景で説明した図８と同じ符号の要部は、機能も同じであるので説明を省略する。図１においては、ＡＣ供給源１及びＡＣ供給源２は、同じ位相で同じ大きさの電圧（電流）を供給できる。ＡＣ供給源１及びＡＣ供給源２としては、室内に提供されている商用電源、或いは無停電電源装置等があり、双方とも同じものであっても互いに異なるものであっても良い。
【００２４】
このように、ＡＣ供給源１からＡＣコード３によって供給されるＡＣ電圧（電流）、ＡＣ供給源２からＡＣコード４によって供給されるＡＣ電圧（電流）は、同じ位相で同じ大きさであるから結合部５で間接的に、又は直接的に結合することができる。前者の例が図２であり、後者の例が図３である。
【００２５】
図２は、絶縁トランス５３による間接結合を示す。ＡＣコード３は遮断器５１を介して、ＡＣコード４は遮断器５２を介して、それぞれ、絶縁トランス５３の同じ巻き数の一次側に接続されることにより、結合される。そして、絶縁トランスの二つの二次側の巻き線で分岐されて、それぞれヒータ駆動部６と、ＡＣ−ＤＣ変換部７とへ、変圧されたＡＣが供給される。
【００２６】
図３は、結線による直接結合を示す。ＡＣコード３は遮断器５１の入力に接続され、ＡＣコード４は遮断器５２の入力に接続される。そして、遮断器５１の出力と遮断器５２の出力が直接的に結線される。その結合点から、ヒータ駆動部６と、ＡＣ−ＤＣ変換部７へ分岐されてＡＣが供給される。
【００２７】
遮断器５１及び遮断器５２は、同じ機能動作するもので、短絡等の過電流による安全性を確保するための温度ヒューズ等を備えている。一般的なもの故、説明を略す。
【００２８】
定着部８ａは、ヒータを備えている。誘導加熱ヒータも使用されることがある。ヒータ駆動部６は、定着部８ａのヒータを駆動、制御する。ヒータの熱を制御するための半導体素子、例えば、パルス幅制御する場合のトライアック等がある。また、誘導加熱用ヒータ駆動用の高周波ＤＣ電源を有することもある。
【００２９】
上記のような構成であるから、負荷変動が生じて、ＡＣ供給電流が変化しても、ＡＣコード二本分の供給量の範囲で、電力供給ができる。
【００３０】
［第２の実施形態］
図４を基に説明する。図４において、図１と同じ符号の要部は、機能も同じであるので説明を省略する。ただし、第２の実施形態では、ＡＣ供給源１及びＡＣ供給源２は、電圧の大きさは同じであるが、位相が異なっても良い。例えば、一般に、商用電源のホットとニュートラルの二本のラインでＡＣを供給しているが、コンセントの接続の仕方によっては、図２のＡＣコード３で供給されるＡＣ電圧とＡＣコード４で供給されるＡＣ電圧とでは、ホットのラインとニュートラルのラインの入れ違いにより、位相が反転することがある。本発明においては、そのような場合であっても、対応できる構成である。ＡＣ供給源１及びＡＣ供給源２としては、図１と同様に、商用電源、或いは無停電電源装置等がある。
【００３１】
図４において、接続切替部１０（請求項に記載の位相変換部に相当する。）は、ＡＣコード４（ＡＣコード３側に配置されていても良い。）の二本のラインを入れ替える、つまり、ホットのラインとニュートラルのラインを切り替えることにより、位相を切り替える。接続切替部１０は、その切替のためのリレー等を備えている。検知部９は、センサ９１、センサ９２、及び判定制御部９３で構成される。センサ９１は、ＡＣコード３から降倍したＡＣ電圧（又は電流）を取り出す。センサ９２は、ＡＣコード４から降倍したＡＣ電圧（又は電流）を取り出す。それぞれの降倍は同じ割合にし、例えば、１／１０とする。判定制御部９３は、センサ９１及び９２で取り出された電圧の位相、つまり降倍した電圧の位相を比較し、それらの位相差がほぼ同じであれば、接続切替部１０に対して、切り替え指示をすることなくそのまま同じ位相を続けさせる。その位相差がほぼ１８０度異なっていると判断した場合は、接続切替部１０に対して、ＡＣコード４のホットのラインとニュートラルのラインを切り替えさせて、同位相にさせて、その状態を保持させる。
【００３２】
補助電源１４は、判定制御部９３が動作するための電力を供給するためのものであり、簡単なＡＣ―ＤＣコンバータを備えている。以下、図５及び図７でも同様に、補助電源１４を備えているものとする。
【００３３】
第２の実施形態の効果は、第１の実施形態と同じであるが、ＡＣ供給源１及びＡＣ供給源２からの位相が異なった場合でも対応できることが特徴である。第２の実施形態の詳細動作については、第３の実施形態で説明する。
【００３４】
［第３の実施形態］
図５及び図６を基に説明する。図４において、図１及び図２と同じ符号の要部は、機能も同じであるので説明を省略する。ただし、ＡＣ供給源１及びＡＣ供給源２は、第２の実施形態と同様に、位相が異なっても良い。図５は、図４の検知部９の詳細を記載してある。しかも、ＡＣ供給源１及びＡＣ供給源２からの位相の違いに対応するのみならず、振幅の確認を行える構成である。
【００３５】
図５で、降圧部９１ａ及びダイオード９１ｂと、降圧部９２ａ及びダイオード９２ｂは、それぞれ、図４のセンサ９１と、センサ９２を構成する。降圧部９１と、降圧部９２は互いに同じ構成であって、それぞれＡＣコード３と、ＡＣコード４の例えば１００Ｖ（半波）から高抵抗で１０ｖ（半波）に分圧して取り出している（図６Ａ及びＢ、Ｅ及びＦの波形を参照）。ダイオード９１ｂと、ダイオード９２ｂは、それぞれ、降圧部９１と、降圧部９２が分圧した出力を受けて、正方向の波形を取り出す（図６Ｄ及びＨの波形を参照）。
【００３６】
図５の要部で符号に９３が付されているものは、図４の判定制御部９３を構成する。波形成形部９３ａと、波形成形部９３ｂは、同じ構成であり、それぞれ、降圧部９１と、降圧部９２、又はダイオード９１ｂと、ダイオード９２ｂのいずれかから出力される各波形とスレッシュホールド電圧とを比較し、矩形波に変換する。図６は、降圧部９１と、降圧部９２から出力される各波形とスレッシュホールド電圧とを比較し（図６Ｂ及びＦ）、矩形波に波形成形（図６Ｃ及びＧ）している。図６Ｂ及びＦにおける、スレッシュホールド電圧は、同じ電圧値である。
【００３７】
図６において、ＡＣ供給源１からの波形ＡとＡＣ供給源２からの波形Ｅとは、同じ周期（Ｔ１）で位相が異なる場合について表している。したがって、それらの降圧波形である図６ＢとＦが、それぞれ同じスレッシュホールド電圧で比較されて、出力され成形された波形（図６Ｃ及びＧ）は、同じ周期（Ｔ１）で異なる位相で出力される。それらの位相差が時間Ｔ２で示される。
【００３８】
位相判定部９３ｃは、波形成形部９３ａと波形成形部９３ｂのそれぞれから出力された矩形を比較し、位相差Ｔ２を検出する。
【００３９】
切替制御部９３ｇについて、ここでは、レベル判定部９３ｆが無いとしてその判定結果を無視した説明をする（レベル判定部９３ｆが在る場合の説明は、後記する。）。切替制御部９３ｇは、位相差Ｔ２が約ゼロであれば、接続切替部１０に対して、そのままの状態を維持するように指示し、位相差Ｔ２が約１８０度（周期Ｔ１の１／２）であれば、接続切替部１０に対して、ホットラインとニュウトラルラインを切り替えてそのままの状態を維持するように指示する。約ゼロ、約１８０度の「約」は、精度良く位相差を検出すればＡＣコード長等による位相差も生ずるがそのような位相差は無視し、１８０度位相がずれているか否かを判断する程度のものであれば十分であることを意味する。言い換えれば、位相判定部９３ｃは、ＡＣ供給源１からの波形ＡとＡＣ供給源２からの波形Ｅの位相が互いに反転していないかどうかを検出し、切替制御部９３ｇは、反転している場合に、接続切替部１０に対して、切り替え指示をしている。
【００４０】
ここまでの図５の説明が、図４の詳細説明に相当する。次に、ＡＣ電圧の振幅（大きさ）を確認する技術について説明する。この場合は、レベル判定部９３ｆが判定し、その判定結果を有効に利用される場合である。
【００４１】
ピーク検出部９３ｄと、ピーク検出部９３ｅは同じ構成にされ、それぞれ、ダイオード９１ｂと、ダイオード９２ｂから出力される半波形のピーク電圧Ｖ１と、ピーク電圧Ｖ２を検出する（図６Ｄ及びＨの点線を参照）。
ピーク検出部９３ｄと、ピーク検出部９３ｅは同じ構成にされ、例えば、ＣＲ（コンデンサ、抵抗）からなるローパスフィルタで構成され、ピーク電圧をコンデンサＣにホールドする構成にしても良いし、半波形のピーク値をサンプリングホールドする構成としても良い。
【００４２】
レベル判定部９３ｆは、ピーク電圧Ｖ１とピーク電圧Ｖ２の差電圧Δｖを求めて、それがＡＣ１００Ｖに対して、所定範囲、例えば、±５％以内でれば、正常の判定を出し、±５％を超える場合は異常の判定を出す。
【００４３】
切替制御部９３ｇは、位相判定部９３ｃの判定結果とレベル判定部９３ｆの判定結果とを用いて処理する。つまり、レベル判定部９３ｆが正常の判定を出しときは、位相判定部９３ｃによって位相差Ｔ２が約ゼロと判定されれば、接続切替部１０に対して、そのままの状態を維持するように指示し、位相差Ｔ２が約１８０度（周期Ｔ１の１／２）と判定されれば、接続切替部１０に対して、ホットラインとニュウトラルラインを切り替えてそのままの状態を維持するように指示する。そして、切替制御部９３ｇは、レベル判定部９３ｆが異常の判定を出しときは、操作者に向けたアラームを出す（不図示：ランプ又は警告ブザー等がある。）。なお、上記、位相判定部９３ｃの判定結果とレベル判定部９３ｆの判定結果の優先順位は、特に、限定するものではない。
【００４４】
上記説明では、図５の第３の実施形態は、図４の第２の実施形態で説明したＡＣ電圧の位相処理の詳細構成に加え、振幅についても確認している構成であるので、より安全に結合させることができる。いわば、図５は、その全詳細を説明したものとすることができる。この場合、図４の検知部９には、図５に記載の、降圧部９１ａ及びダイオード９１ｂ、降圧部９２ａ及びダイオード９２ｂ、波形成形部９３ａ、波形成形部９３ｂ、位相判定部９３ｃ、ピーク検出部９３ｄ、ピーク検出部９３ｅ、レベル判定部９３ｆ、及び切替制御部９３ｇを含めることができる。
【００４５】
［第４の実施形態］
図７を基に説明する。図７において、図４と同じ符号の要部は、機能も同じであるので説明を省略する。図７の検知部９は、第２の実施形態又は第３の実施形態のいずれも含まれるものとする。また、ＡＣ供給源１及びＡＣ供給源２は、第２の実施形態と同様に、位相が異なっても良い。また、図７の検知部９は、電流検知部１１及制限部１２とは独立して構成でき、動作するので、ここでは検知部９の説明を省略する。
【００４６】
電流検知部１１の電流センサ１１１と、電流センサ１１２は、同じ構成とされ、例えば、それぞれ、ＡＣコード３を流れる電流と、ＡＣコード４を流れる電流のそれぞれによって誘起される誘電電流をピックアップするコイルで構成される。そのコイルに負荷抵抗を直接に接続してピックアップ電流を負荷抵抗の両端の端子間電圧に変換する。また、電流センサ１１１と、電流センサ１１２を、それぞれ、検知部９のセンサ９１と、センサ９２とで兼ねて、降圧されたときに流れる電流を用いてもよい。この場合は、降圧した電圧をそのまま用いても良い。
【００４７】
電流制御部１１３は、電流センサ１１１と、電流センサ１１２によって検出された端子間電圧の差により、ＡＣコード３に流れる電流（負荷８への供給電流）と、ＡＣコード４に流れる電流（負荷８への供給電流）のそれぞれの電流、及びそれらの総和の電流を検出する。そして、例えば、ＡＣコード３の電流が１５Ａを超えそうで、ＡＣコード４の電流が少ない場合は、電流制限部１２１に対して、１５Ａ以下になるように制限させ、その分をＡＣコード４の電流の増加で補わせる。検知した電流の総和が３０Ａを超えそうになったときは、３０Ａ以下になるように、電流制限部１２１又は／及び電流制限部１２２を制御して制限する。この場合、操作者にアラームを出しても良い。また、ＡＣコード３の電流とＡＣコード４の電流とがほぼ同じになるように、つまりバランスを保持させるように制御しても良い。
【００４８】
制限部１２の電流制限部１２１と、電流制限部１２２は、同じ構成とすることができ、電力用半導体素子で構成できる。例えば、ソースとドレインの間をＡＣ電流が流れ、そのゲートを制御することにより、ＡＣ電流を制御することもできる。また、トライアック又はサイリスタと呼ばれるスイッチング素子で、位相制御又は時間に応じたオン／オフ制御をすることにより電流の平均を制御する構成にすることもできる。
【００４９】
図７において、電流検知部１１、制限部１２、検知部９及び接続切替部１０の順序は、原則として、図７の配置順序に限らず、自由に配置できる。ただし、電流検知部１１と制限部１２の順序が図７と逆になったときは、電流検知部１１は、制限部が実際に制限した結果を検知して制御できる。したがって、電流制御部１１３は、電流センサ１１１、電流センサ１１２が検出する電流値が目標値となるように制御することもできる。また、検知部９と接続切替部１０の配置順序が図７と逆になった場合は、判定制御部９３が接続切替部１０の切り替えた結果を確認できる。電流制限部１２１及び電流制限部１２２で位相変化があっても、電流制限部１２１による位相変化と電流制限部１２１による位相変化が、同程度であれば、センサ９１及びセンサ９２は、どこに配置されても良い。
【００５０】
望ましくは、ＡＣ電圧の位相及び振幅（大きさ）を検出する検知部９は、より結合部５に近いところに配置することである。検知部９は、結合部５でＡＣコード３のＡＣ電圧とＡＣコード４のＡＣ電圧を結合させる条件を決定づけるからである。
【００５１】
なお、上記の第２、第３及び第４の実施形態において、より安全にＡＣコード３とＡＣコード４とを結合させるために、ＡＣコード３又はＡＣコード４の出力側を結合部５で結合する直前に電力供給をオン／オフする電源供給スイッチを設け（不図示）、最初は、その電源供給スイッチをオフ状態でＡＣコード３とＡＣコード４をそれぞれＡＣ供給源１とＡＣ供給源２のコンセントへ接続し、その後、判定制御部９３が、ＡＣコード３とＡＣコード４との間において、それぞれのＡＣ電圧の位相及び振幅が同じになるよう制御後、又は同じであることを確認後に、電源供給スイッチをオン状態にして、電力供給を開始できる構成にすることもできる。
【００５２】
上記説明における、判定制御部９３を構成する、位相判定部９３ｃ、レベル判定部９３ｆ、及び切替制御部９３ｇは、論理回路で構成することもできるし、入力される信号をＡＤ変換器でデジタルデータに変換したのちに、上記機能を搭載したプログラムとそれを実行するＣＰＵとで構成することもできる。
【図面の簡単な説明】
【００５３】
【図１】本発明に係る第１の実施形態のブロック図である。
【図２】図１の結合部５の一実施形態を説明するための図である。
【図３】図１の結合部５の他の一実施形態を説明するための図である。
【図４】本発明に係る第２の実施形態に係る機能ブロック図である。
【図５】本発明に係る第３の実施形態に係る機能ブロック図であるととものに、一部は、図２の詳細を示す図でもある。
【図６】第２及び第３の実施形態における動作のタイミングを示す図である。
【図７】本発明に係る第４の実施形態に係る機能ブロック図である。
【図８】従来技術を説明するための機能ブロック図である。
【符号の説明】
【００５４】
１、２  ＡＣ供給源
３、４  ＡＣコード
５  結合部
６  ヒータ駆動部
７  ＡＣ−ＤＣ変換部
８  負荷
９  検知部
１１  電流検知部
１２  制限部
１３  トランス
１４  補助電源
【図１】
0004674532.tif 000002
【図２】
0004674532.tif 000003
【図３】
0004674532.tif 000004
【図４】
0004674532.tif 000005
【図５】
0004674532.tif 000006
【図６】
0004674532.tif 000007
【図７】
0004674532.tif 000008
【図８】
0004674532.tif 000009